(57)【要約】【課題】  ２色カラーでの印刷時に適切な課金カウントを実行することを目的とする。【解決手段】  本発明の画像形成装置は、画像の入力を受け付ける受付手段と、前記受付手段が受け付けた画像が無彩色の画像か有彩色の画像かを決定する決定手段と、前記受付手段が受け付けた画像を用紙に印刷する印刷手段と、前記決定手段が前記有彩色の画像と決定した画像を前記印刷手段が２色で印刷するように設定されている時に、前記決定手段が前記無彩色の画像と決定した画像を前記印刷手段が印刷した枚数に基づいて課金する第１の課金手段と、前記決定手段が前記有彩色の画像と決定した画像を前記印刷手段が印刷した枚数に基づいて課金する第２の課金手段とを有することを特徴とする。【選択図】  図７
2020166195.tif 000002
【特許請求の範囲】
【請求項１】
画像の入力を受け付ける受付手段と、
前記受付手段が受け付けた画像が無彩色の画像か有彩色の画像かを決定する決定手段と
前記受付手段が受け付けた画像を用紙に印刷する印刷手段と、
前記受付手段が受け付けた画像を前記印刷手段が多くとも２色で印刷するように設定されている時に、
前記決定手段が前記無彩色の画像と決定した画像を前記印刷手段が印刷した枚数に基づいて、課金のための計数を行う第１の計数手段と、
前記決定手段が前記有彩色の画像と決定した画像を前記印刷手段が印刷した枚数に基づいて、課金のための計数を行う第２の計数手段とを有することを特徴とする画像形成装置。
【請求項２】
前記第２の計数手段が、前記受付手段が受け付けた画像を前記印刷手段が第１のカラー設定で印刷する時の計数と前記受付手段が受け付けた画像を前記印刷手段が第２のカラー設定で印刷する時の計数のどちらの計数と同じ計数を行うかを設定する設定手段をさらに有することを特徴とする請求項１に記載の画像形成装置。
【請求項３】
前記第１のカラー設定は前記受付手段が受け付けた画像を前記印刷手段が１色で印刷するカラー設定であることを特徴とする請求項２に記載の画像形成装置。
【請求項４】
前記第２のカラー設定は前記受付手段が受け付けた画像を前記印刷手段がフルカラーで印刷するカラー設定であることを特徴とする請求項２または３に記載の画像形成装置。
【請求項５】
前記受付手段が受け付けた画像を前記印刷手段が多くとも２色で印刷するように設定されている場合であって、当該２色のうちの１つの色が所定の色に設定されている場合、
第１の計数手段は前記決定手段が前記無彩色の画像と決定した画像を前記印刷手段が印刷した枚数に基づいて課金のための計数を行い、
第２の計数手段は前記決定手段が前記有彩色の画像と決定した画像を前記印刷手段が印刷した枚数に基づいて課金のための計数を行い、
前記受付手段が受け付けた画像を前記印刷手段が多くとも２色で印刷するように設定されている場合であって、当該２色のうちの１つの色が所定の色とは異なる色に設定されている場合、
第２の計数手段は、前記受付手段が受け付けた画像を前記印刷手段が印刷した枚数に基づいて課金のための計数を行うことを特徴とする請求項１乃至４の何れか１項に記載の画像形成装置。
【請求項６】
前記決定手段は、前記受付手段が受け付けた画像のうち、有彩色を示す画素が閾値以上ある画像を有彩色の画像と決定し、前記受付手段が受け付けた画像のうち、有彩色を示す画素が閾値未満である画像を無彩色の画像を無彩色の画像と決定することを特徴とする請求項１乃至５の何れか１項に記載の画像形成装置。
【請求項７】
前記受付手段は、原稿の画像を読み取ることで画像の入力を受け付けることを特徴とする請求項１乃至６の何れか１項に記載の画像形成装置。
【請求項８】
前記受付手段は、外部装置から画像データを受信することで画像の入力を受け付けることを特徴とする請求項１乃至６の何れか１項に記載の画像形成装置。
【請求項９】
画像の入力を受け付ける受付工程と、
前記受付工程で受け付けた画像が無彩色の画像か有彩色の画像かを決定する決定工程と
前記受付工程で受け付けた画像を用紙に印刷する印刷工程と、
前記受付工程で受け付けた画像を前記印刷工程で多くとも２色で印刷するように設定されている時に、
前記決定工程で前記無彩色の画像と決定した画像を前記印刷工程で印刷した枚数に基づいて、課金のための計数を行う第１の計数工程と、
前記決定工程で前記有彩色の画像と決定した画像を前記印刷工程で印刷した枚数に基づいて、課金のための計数を行う第２の計数工程とを有することを特徴とする画像形成装置の制御方法。
【請求項１０】
請求項１乃至８の何れか１項に記載の画像形成装置の各手段をコンピュータが実行するためのプログラム。
【発明の詳細な説明】
【技術分野】
【０００１】
画像形成装置とその制御方法、及びプログラムに関する。
【背景技術】
【０００２】
従来、ページごとに画像が無彩色のみであるか有彩色を含むかを判定し、無彩色のみと判定された場合は白黒印刷用の課金カウントを実行し、有彩色を含むと判定された場合はカラー印刷用の課金カウントを実行する画像形成装置が開示されている（特許文献１参照）。
【０００３】
また、画像形成装置において２色カラーでの印刷方法が提案されている。２色カラーでの印刷は、ユーザが２色カラーでの印刷を指示することで、画像の無彩色部分が黒色で印刷され、画像の有彩色部分が予め指定された色に変換して印刷される。また、２色カラーでの印刷時にページごとに画像が無彩色のみか有彩色を含むかを判定し、無彩色のみと判定されたページは白黒で印刷するように制御し、有彩色を含むと判定されたページは２色カラーで印刷するように制御する画像形成装置が開示されている（特許文献２参照）。
【先行技術文献】
【特許文献】
【０００４】
【特許文献１】特開２００９−１４１８０７号公報
【特許文献２】特開２００７−９７１６９号公報
【発明の概要】
【発明が解決しようとする課題】
【０００５】
ユーザはカラー原稿をトナーの使用量を抑えて印刷するために、２色カラーでの印刷を指示する場合が多い。そのため、従来では２色カラーでの印刷を実行する際、特許文献２のように画像が無彩色のみであるか、有彩色を含むかで課金カウントを切り替える必要が無かった。
【０００６】
しかし、ユーザが２色カラーで印刷しようとする画像によって白黒印刷用の課金カウントとカラー印刷用の課金カウントを切り替えない場合、ユーザもしくはサービス提供側に不利な課金カウントが実行されることがある。例えば、ユーザが２色カラーで印刷しようとする画像のほとんどが無彩色部分から構成されているにも関わらず、カラー印刷用の課金カウントが実行されると、ユーザに不利な課金が行われる。逆に、ユーザが２色カラーで印刷しようとする画像のほとんどが有彩色部分から構成されているにも関わらず、白黒印刷用の課金カウントが実行されると、サービス提供側に不利な課金が行われる。
【０００７】
特許文献１の画像形成装置は、フルカラーの画像を印刷する時に、ページごとに画像が無彩色のみであるか有彩色を含むかを判定し、課金カウンタを切り替えるが２色カラーで印刷する時の動作については記載されていない。
【０００８】
また、特許文献２の画像形成装置は、２色カラーで印刷する時にページごとに画像が無彩色のみであるか有彩色を含むかを判定し、判定結果に基づいて印刷制御を切り替えることが記載されている。しかし、２色カラーで印刷する時は、常に白黒の課金カウントが実行されることが記載されているため、２色カラーで印刷する時ページごとに画像が無彩色のみであるか有彩色を含むかを判定し、課金カウンタを切り替えることは記載されていない。
【０００９】
本発明は上記の課題に鑑みてなされたものであり、２色カラーでの印刷時に適切な課金カウントを実行することを目的とする。
【課題を解決するための手段】
【００１０】
本発明の画像形成装置は画像の入力を受け付ける受付手段と、前記受付手段が受け付けた画像が無彩色の画像か有彩色の画像かを決定する決定手段と前記受付手段が受け付けた画像を用紙に印刷する印刷手段と、前記受付手段が受け付けた画像を前記印刷手段が多くとも２色で印刷するように設定されている時に、前記決定手段が前記無彩色の画像と決定した画像を前記印刷手段が印刷した枚数に基づいて、課金のための計数を行う第１の計数手段と、前記決定手段が前記有彩色の画像と決定した画像を前記印刷手段が印刷した枚数に基づいて、課金のための計数を行う第２の計数手段とを有することを特徴とする。
【発明の効果】
【００１１】
２色カラーでの印刷時に適切な課金カウントを実行することができる。
【図面の簡単な説明】
【００１２】
【図１】ＭＦＰ１０１ハードウェア構成の一例を示す図
【図２】操作部１０６に表示されるコピー機能を実行するための画面の一例を示す図
【図３】コピー処理の一例を示すフローチャート
【図４】カウンタの計算テーブル４００の一例を示す図
【図５】表示カウンタの計算処理を示すフローチャート
【図６】カウンタ設定画面の一例を示す図
【図７】カウントアップ処理の一例を示すフローチャート
【図８】カウンタの計算テーブル８００の一例を示す図
【図９】カウントアップ処理の一例を示すフローチャート
【発明を実施するための形態】
【００１３】
以下、本発明を実施するための形態について図面を用いて説明する。なお、以下の実施例において示す構成は一例であり本発明は図示された構成に限定されるものではない。
【実施例１】
【００１４】
本実施例では、２色カラーでの印刷時にフルカラーまたは単色カラーの枚数カウンタをカウントアップ（計数）するケースを説明する。
【００１５】
図１は、ＭＦＰ１０１ハードウェア構成の一例を示す図である。画像形成装置の一例であるＭＦＰ（Ｍｕｌｔｉ  Ｆｕｎｃｔｉｏｎ  Ｐｅｒｉｐｈｅｒａｌ）１０１は、以下の構成を備える。例えば、ＭＦＰ１０１はＣＰＵ１０２、ＲＯＭ１０３、ＲＡＭ１０４、ストレージ１０５、操作部１０６、プリンタ１０７、スキャナ１０８、ネットワークＩ／Ｆ（Ｉｎｔｅｒｆａｃｅ）１０９、ＥＥＰＲＯＭ１１０を備える。
【００１６】
ＣＰＵ１０２はＭＦＰ１０１を構成する各種ハードウェア１０２〜１１０の制御を行うことで、ＭＦＰ１０１が備える各機能を実現する。なお、ＣＰＵ１０２はバスラインにより各種ハードウェアに信号を送り、他のハードウェアと相互にデータ通信を行うことを実現する。
【００１７】
またＭＦＰ１０１のＣＰＵ１０２は、ＲＯＭ１０３に記憶された制御プログラムに従ってＭＦＰ１０１の動作を制御する。より詳細には、ＭＦＰ１０１の制御を行うオペレーティングシステム（ＯＳ）と、ハードウェアを制御するためのドライバプログラムをＣＰＵ１０２が実行する。そしてＯＳ上に配置されたアプリケーションプログラムらが相互に動作することにより、ユーザの所望する機能の動作、制御が行われる。これらのＯＳや各種プログラムはＲＯＭ１０３に記憶され、ＲＡＭ１０４において読み出されることで実行される。
【００１８】
ＲＯＭ１０３はＣＰＵ１０２が使用するプログラムや各種データを記憶するためのメモリである。ＲＡＭ１０４は、プログラムや、ＣＰＵ１０２が演算に用いるデータを一時的に記憶するためのワークメモリである。ストレージ１０５は、各種データや各種プログラム等を記憶する記憶装置である。
【００１９】
なお、本実施例ではストレージ１０５としてＨＤＤを想定しているが、ＳＳＤ、フラッシュメモリ、ｅＭＭＣなどの補助記憶装置を用いるようにしても良い。なお、ＭＦＰ１０１は、１つのＣＰＵ１０２が１つのメモリ（ＲＡＭ１０４）を用いて後述するフローチャートに示す各処理を実行するものとするが、他の形態であっても構わない。例えば複数のＣＰＵ、複数のＲＡＭ、複数のＲＯＭ、及び複数のストレージを協働させて後述するフローチャートに示す各処理を実行することもできる。また、ＡＳＩＣやＦＰＧＡ等のハードウェア回路を用いて一部の処理を実行するようにしてもよい。
【００２０】
操作部１０６は、例えばタッチパネル等のＭＦＰ１０１をユーザが操作するためのユーザインタフェースであり、ユーザによる操作や入力を受け付ける。また、操作部１０６はＭＦＰ１０１を操作するため画面等を表示する表示部としても使用することができる。
【００２１】
プリンタ１０７はプリント機能を実現するユニットであって、ＣＰＵ１０２がプリンタ０７を制御することでＰＣから受信した印刷ジョブの実行により画像を用紙に印刷する。ここで印刷ジョブとは、ＭＦＰ１０１に印刷処理を実行させるための命令や画像データ、印刷設定情報などを含むデータである。また、ＣＰＵ１０２がプリンタ１０７を制御することで、スキャナ１０８が読み取った画像を用紙に印刷するコピー機能の実行も可能である。
【００２２】
スキャナ１０８はスキャン機能を実現するユニットであって、ＣＰＵ１０２がスキャナ１０８を制御することで原稿の画像を光学的に読み取り、画像データに生成する処理を行う。
【００２３】
ネットワークＩ／Ｆ１０９は、例えばＥｔｈｅｒｎｅｔのような有線ＬＡＮ通信を行うためのネットワークＩ／Ｆである。なお、このネットワークＩ／Ｆ１０９は無線ＬＡＮ通信を行うためのネットワークＩ／Ｆであっても良いし、ＵＳＢ−ＬＡＮＩ／Ｆ等でもよい。
【００２４】
ＥＥＰＲＯＭ１１０は、不揮発メモリであり、制御プログラムが実行する際に必要となる設定値などを記憶している。後述する枚数カウンタもＥＥＰＲＯＭ１１０に記憶される。
【００２５】
図２は、操作部１０６に表示されるコピー機能を実行するための画面の一例を示す図である。図２（ａ）はホーム画面の一例を示す図である。ホーム画面２００は操作部１０６に表示される画面であり、コピー機能、特殊赤色コピー、スキャン機能（不図示）等の実行・設定を行うためのボタンを選択できる画面である。
【００２６】
本実施例では、ホーム画面２００にコピーアイコン２０１と特殊赤色コピーアイコン２０２を表示しているが、これに限らずＭＦＰ１０１が提供する機能であるスキャン機能や送信機能等のアイコンを表示してもよい。コピーアイコン２０１は、一般的なコピー機能を開始するためのアイコンであり、ＣＰＵ１０２は操作部１０６を介してコピーアイコン２０１の選択を検知すると、図２（ｂ）のようなコピー設定画面２１０を表示する。特殊赤色コピーアイコン２０２は、赤色と黒色を含む文書のコピー機能を開始するためのアイコンである。ＣＰＵ１０２は操作部１０６を介して特殊赤色コピーアイコン２０２の選択を検知すると、図２（ｃ）のような特殊赤色コピー設定画面２２０を操作部１０６に表示する。本実施例では、カラー原稿を所定の赤色（以下、特殊赤色と呼ぶ）と黒色の２色で出力する例について説明するが、これに限らない。ユーザの任意の２色で出力されてもよい。
【００２７】
図２（ｂ）はコピー設定画面の一例を示す図である。コピー設定画面２１０は、設定表示２１１、カラー選択ボタン２１２、倍率ボタン２１３、用紙選択ボタン２１４、仕上げボタン２１５、両面ボタン２１６、濃度ボタン２１７から構成される。
【００２８】
設定表示２１１は、現在コピー機能に設定されている内容を表示する。設定表示２１１の左から順にカラーモード、倍率、給紙カセット、部数の設定が表示されている。
【００２９】
カラー選択ボタン２１２は、ユーザにより選択されることにより、印刷物のカラーモードを選択するためのカラー選択画面２３０を表示するためのボタンである。
【００３０】
倍率ボタン２１３は、ユーザにより選択されることにより、原稿を基準にした印刷物の倍率を設定するためのボタンである。用紙選択ボタン２１４は、ユーザにより選択されることにより、印刷する用紙をどのカセットから給紙するかを設定するためのボタンである。
【００３１】
仕上げボタン２１５は、ユーザにより選択されることにより、ステイプルやパンチなどの印刷物に対する後処理を設定するためのボタンである。両面ボタン２１６は、ユーザにより選択されることにより、印刷物を両面印刷するか片面印刷するかを選択するためのボタンである。濃度ボタン２１７は、ユーザにより選択されることにより、用紙に画像を印刷する際の濃度を設定するためのボタンである。
【００３２】
ボタン２１３〜２１７の詳細な設定画面については、ＭＦＰ１０１で提供可能な範囲で、数値入力や選択肢を表示すればよい。また、コピー設定画面２１０にはこれ以外の設定ボタンを設けてもよい。コピー設定画面２１０が操作部１０６に表示されている状態で、ＣＰＵ１０２がハードキーもしくはソフトキーのスタートボタン（不図示）が選択されことを検知すると、表示されている設定に基づいてコピー処理の実行を開始する。具体的なフローに関しては図３で後述する。
【００３３】
図２（ｄ）はカラー選択画面２３０の一例を示す図である。ＣＰＵ１０２は操作部１０６を介してカラー選択ボタン２１２の選択を検知すると、カラー選択画面２３０が表示される。カラー選択画面２３０は、自動（カラー／白黒）ボタン２３１、フルカラーボタン２３２、白黒ボタン２３３、単色カラーボタン２３４、２色カラーボタン２３５、自動（特殊赤色）ボタン２３６、キャンセルボタン２３７、ＯＫボタン２３８から構成される。
【００３４】
自動（カラー／白黒）ボタン２３１は、ユーザにより選択されることにより、スキャナ１０８で読み取った原稿の画像に有彩色が含まれる場合にフルカラーで印刷し、無彩色のみ場合に白黒で印刷する場合に設定される。ここでの判定の詳細は後述する。また、コピー設定画面２１０でのデフォルトでは自動（カラー／白黒）ボタン２３１が選択された状態となっている。
【００３５】
フルカラーボタン２３２、白黒ボタン２３２は、ユーザにより選択されることにより、スキャナ１０８で読み取った原稿の画像に関係なく、フルカラー固定または白黒固定で印刷するように設定するためのボタンである。
【００３６】
単色カラーボタン２３４は、ユーザにより選択されることにより、スキャナ１０８で読み取った原稿の画像を黒色以外の指定された色に変換し印刷するように設定される。ＣＰＵ１０２は操作部１０６を介して単色カラーボタン２３４の選択を検知すると、図２（ｅ）のような単色カラー設定画面２４０を操作部１０６に表示する。
【００３７】
図２（ｅ）は単色カラー設定画面２４０の一例を示す図である。単色カラー設定画面２４０は、レッドボタン２４１、グリーンボタン２４２、ブルーボタン２４３、イエローボタン２４４、マゼンタボタン２４５、シアンボタン２４６、キャンセルボタン２４７、ＯＫボタン２４８から構成される。単色カラー設定画面２４０では、単色（１色）カラーで使用する色を受け付ける。
【００３８】
２色カラーボタン２３５は、ユーザにより選択されることにより、スキャナ１０８で読み取った原稿の画像の有彩色部分を指定された色に変換して印刷し、無彩色部分を白黒で印刷するように設定するためのボタンである。ＣＰＵ１０２操作部１０６を介して２色カラーボタン２３５の選択を検知すると、図２（ｆ）のような２色カラー設定画面２５０を表示する。
【００３９】
図２（ｆ）は２色カラー設定画面２５０の一例を示す図である。２色カラー設定画面２５０は、レッドボタン２５１、グリーンボタン２５２、ブルーボタン２５３、イエローボタン２５４、マゼンタボタン２５５、シアンボタン２５６、キャンセルボタン２５７、ＯＫボタン２５８から構成される。また、２色カラー設定画面２５０は、２色カラーの有彩色部分の置き換えで使用する色の設定を受け付ける受付画面である。本実施例では、無彩色部分は黒で印刷する例を説明する。
【００４０】
図２（ｄ）の説明に戻り、自動（特殊赤色）ボタン２３６は、ユーザに選択されることにより、スキャナ１０８で読み取った原稿の画像が有彩色を含む場合に２色カラーで印刷し、無彩色のみの場合に白黒で印刷するように設定するためのボタンである。自動（特殊赤色）ボタン２３６が選択されている時、原稿の画像が有彩色の場合の２色カラーでは、赤色と黒色で印刷を行う。
【００４１】
キャンセルボタン２３７は、カラー選択を行わない場合に選択され、ＯＫボタン２３８は、２３１〜２３６の設定を反映させる場合に選択される。ＣＰＵ１０２は操作部１０６を介してキャンセルボタン２３７が選択されるとコピー設定画面２０１を操作部１０６に表示し、ＯＫボタン２３８が選択されるとコピー設定画面２０１に操作部１０６に表示するとともに、設定表示２１１に選択の内容を反映する。
【００４２】
図２（ｃ）は特殊赤色コピーの設定画面２２０の一例を示す図である。特殊赤色コピーの設定画面２２０は、ＣＰＵ１０２が操作部１０６を介して特殊赤色コピーアイコン２０２の選択を検知したことに従って、表示される。
【００４３】
特殊赤色コピー設定画面２２０は、コピー設定画面２１０と同様に設定表示２２１、カラー選択ボタン２２２、倍率ボタン２２３、用紙選択ボタン２２４、仕上げボタン２２５、両面ボタン２２６、濃度ボタン２２７から構成されている。ここで、ボタン２２２〜２２７が選択された時に操作部１０６に表示される画面もコピー設定画面２１０の場合と同様である。
【００４４】
ただし、特殊赤色コピー設定画面２２０でのカラー選択のデフォルトは自動（特殊赤色）ボタン２３６が選択された状態となっている。特殊赤色コピー設定画面２２０が操作部１０６に表示されている状態で、ＣＰＵ１０２がハードキーもしくはソフトキーのスタートボタン（不図示）が選択されことを検知すると、表示されている設定に基づいてコピー処理の実行を開始する。具体的なフローに関しては図３で後述する。
【００４５】
ユーザはカラー原稿をトナーの使用量を抑えて印刷するために、２色カラーでの印刷を指示する場合が多い。そのため、従来では２色カラーでの印刷を実行する際、特許文献２のように画像が無彩色のみであるか、有彩色を含むかで課金カウントを切り替える必要が無かった。
【００４６】
しかし、ユーザが２色カラーで印刷しようとする画像によって白黒印刷用の課金カウントとカラー印刷用の課金カウントを切り替えない場合、ユーザもしくはサービス提供側に不利な課金カウントが実行されることがある。例えば、ユーザが２色カラーで印刷しようとする画像のほとんどが無彩色部分から構成されているにも関わらず、カラー印刷用の課金カウントが実行されると、ユーザに不利な課金が行われる。逆に、ユーザが２色カラーで印刷しようとする画像のほとんどが有彩色部分から構成されているにも関わらず、白黒印刷用の課金カウントが実行されると、サービス提供側に不利な課金が行われる。
【００４７】
上記の課題を解決するための以下の処理を実行することで、２色カラーでの印刷時に適切な課金カウントを実行することができる。
【００４８】
図３は、コピー処理の一例を示すフローチャートである。ＣＰＵ１０２がＲＯＭ１０３に記憶されたプログラムをＲＡＭ１０４に読み出し、実行することで図３のフローチャートの処理は実現される。また、図３のフローチャートは、コピーアイコン２０１もしくは２０２が選択されたことにより開始される。
【００４９】
Ｓ３０１において、ＣＰＵ１０２は操作部１０６に表示されたコピー設定画面２１０もしくは特殊赤色コピー設定画面２２０を介して、コピー機能の設定を受け付ける。
【００５０】
Ｓ３０２において、ＣＰＵ１０２は不図示のスタートボタンが選択されたか否かを判定する。選択されたと判定した場合は、Ｓ３０３に進む。そうでない場合は、Ｓ３０１に戻る。
【００５１】
Ｓ３０３において、ＣＰＵ１０２はＳ３０１で受け付けた設定に基づいて、スキャナ１０８を制御し原稿の画像を読み取り、フルカラーの画像データを生成しストレージ１０５に記憶する。
【００５２】
Ｓ３０４において、ＣＰＵ１０２はストレージ２０４から１ページ分の画像データを取得する。なお、本実施例では生成された画像データをストレージ１０５に記憶し、ストレージ１０５から読み出した画像データに基づいて画像を用紙に印刷する例を説明するが、これに限るものではない。例えば、生成した画像データをＲＡＭ１０４に記憶し、ストレージ１０５を介さず、読み出す際もＲＡＭ１０４から読み出して画像を用紙に印刷してもよい。
【００５３】
Ｓ３０５において、ＣＰＵ１０２はカラー選択画面で、自動（カラー／白黒）または自動（特殊赤色）が選択されたか否かを判定する。選択されたと判定した場合、Ｓ３０６に進む。そうでない場合はＳ３１０に進む。
【００５４】
Ｓ３０６において、ＣＰＵ１０２は色判定処理を実行する。この処理は、取得した画像データに対応する画像が有彩色を含むか、無彩色のみかを判定するための処理である。具体的には、ＣＰＵ１０２は取得した画像データの画素データに有彩色を示す画素データが閾値以上存在するか否かを判定する。有彩色を示す画素データが閾値以上存在すると判定した場合は、その画像データが示す画像が有彩色の画像であると決定する。また、有彩色を示す画素データが閾値未満であると判定した場合は、その画像データが示す画像が無彩色の画像であると決定する。
【００５５】
Ｓ３０７において、ＣＰＵ１０２はＳ３０６で有彩色の画像であると決定したか無彩色の画像であると決定したかを判定する。有彩色の画像であると決定したと判定した場合は、Ｓ３０８に進む。そうでない場合は、Ｓ３１１に進む。
【００５６】
Ｓ３０８において、ＣＰＵ１０２はカラー選択で、自動（特殊赤色）が選択されたか否かを判定する。選択されたと判定した場合はＳ３０９に進む。そうでない場合は、Ｓ３２０に進む。
【００５７】
Ｓ３０９において、ＣＰＵ１０２は取得した画像データのＲＧＢ値をＣＭＹＫ値に変換する。その際、画素ごとに有彩色の画素か無彩色の画素かを判定し、有彩色の画素のＲＧＢ値は特殊赤色を示すＣＭＹＫ値に変換される。また、無彩色の画素のＲＧＢ値は、黒色を示すＣＭＹＫ値に変換される。
【００５８】
Ｓ３２０において、ＣＰＵ１０２は取得した画像データのＲＧＢ値をＣＭＹＫ値に変換する。その際、ＣＰＵ１０２は読み取った原稿の画像の色をフルカラーで表現できるような変換処理を行う。
【００５９】
Ｓ３１０において、ＣＰＵ１０２はカラー選択で白黒が選択されたか否かを判定する。選択されたと判定した場合は、Ｓ３１１に進む。そうでない場合は、Ｓ３１２に進む。
【００６０】
Ｓ３１１において、ＣＰＵ１０２は取得した画像データのＲＧＢ値をＣＭＹＫ値に変換する。その際、ＣＰＵ１０２は有彩色の画素も無彩色の画素も黒色で出力するようなＣＭＹＫ値に変換する。
【００６１】
Ｓ３１２において、ＣＰＵ１０２はカラー選択で単色カラーが選択されたか否かを判定する。選択されたと判定した場合は、Ｓ３１３に進む。そうでない場合は、Ｓ３１４に進む。
【００６２】
Ｓ３１３において、ＣＰＵ１０２は取得した画像データのＲＧＢ値をＣＭＹＫ値に変換する。その際、ＣＰＵ１０２は有彩色の画素も無彩色の画素も選択された単色カラーで出力するようなＣＭＹＫ値に変換する。
【００６３】
Ｓ３１４において、ＣＰＵ１０２はカラー選択で２色カラーが選択されたか否かを判定する。選択されたと判定した場合は、Ｓ３１５に進む。そうでない場合、つまりフルカラーが選択されたと判定した場合は、Ｓ３１９に進む。
【００６４】
Ｓ３１５において、ＣＰＵ１０２は取得した画像データのＲＧＢ値をＣＭＹＫ値に変換する。その際、ＣＰＵ１０２は有彩色の画素は選択された２色カラーで出力し、無彩色の画素は黒色で出力するようなＣＭＹＫ値に変換する。
【００６５】
Ｓ３１９において、ＣＰＵ１０２は取得した画像データのＲＧＢ値をＣＭＹＫ値に変換する。その際、ＣＰＵ１０２は有彩色の画素も無彩色の画素もフルカラーで出力するようなＣＭＹＫ値に変換する。
【００６６】
Ｓ３１６において、ＣＰＵ１０２はプリンタ１０７を制御して、変換されたＣＭＹＫ値に基づいて画像を用紙に印刷する。
【００６７】
Ｓ３１７において、ＣＰＵ１０２はＳ３１６で印刷した画像に基づいて課金カウンタをカウントアップする。カウント情報はＥＥＰＲＯＭ１１０に記憶される。この処理の詳細は、後述する。
【００６８】
Ｓ３１８において、ＣＰＵ１０２はＳ３１６で印刷した画像が最後のページの画像か否かを判定する。最後のページの画像であると判定した場合、処理を終了する。そうでない場合、Ｓ３０４に戻る。
【００６９】
図４はカウンタの計算テーブル４００の一例を示す図である。図４では、Ｓ３１７でカウントアップを行う枚数カウンタとユーザに表示するための表示カウンタについて説明する。ＥＥＰＲＯＭ１１０には、フルカラー／ラージ４０３、フルカラー／スモール４０４、白黒／ラージ４０５、白黒／スモール４０６、単色カラー／ラージ４０７、単色カラー／スモール４０８のような枚数カウンタを保持している。ラージサイズとは副走査方向の長さが３６４ｍｍ以上の印刷物を指し、スモールサイズは副走査方向の長さが３６４ｍｍ未満の印刷物を示す。
【００７０】
表示カウンタ４０２は、操作部１０６等に表示カウントの算出に用いられる。また、表示カウンタ４０２にはそれぞれを一意に特定するためのカウンタＩＤ４０１が割り振られている。これらの関係を示したものが表示カウンタの計算テーブル４００である。ここで枚数カウンタ４０３〜４０８から表示カウンタを算出する方法を説明する。カウンタＩＤが１０１のトータル１は、サイズに関係なく１枚としてカウントする表示カウンタである。そのため、各枚数カウンタ４０３〜４０８に１を掛けて合算する。カウンタＩＤが１０２のトータル２は、ラージサイズを２枚としてカウントし、スモールサイズを１枚としてカウントする表示カウンタである。そのため、枚数カウンタのラージ４０３、４０５、４０７に２を掛けて、枚数カウンタのスモール４０４、４０６、４０８に１を掛けて合算する。カウンタＩＤが１０３のフルカラー１は、フルカラーに対してサイズに関係なく１枚としてカウントする表示カウンタである。そのため、枚数カウンタ４０３、４０４に対して１を掛けて合算する。それ以外の枚数カウンタには０を掛けるためカウントの対象外となる。フルカラー２以降に関しても同様の計算を行う。このように計算テーブル４００には、各表示カウンタを算出する際に各枚数カウンタに掛ける係数を保持している。
【００７１】
図５は、表示カウンタの計算処理を示すフローチャートである。ＣＰＵ１０２がＲＯＭ１０３に記憶されたプログラムをＲＡＭ１０４に読み出し、実行することで図５のフローチャートの処理は実現される。また、図５のフローチャートは、後述する図７のＳ７１４もしくはＳ７１５の処理が終了したことにより開始される。
【００７２】
Ｓ５０１において、ＣＰＵ１０２はカウンタＩＤを取得する。Ｓ５０２において、ＣＰＵ１０２は、表示カウンタを合算するためのカウンタ値ＣＮＴに０を代入し、初期化する。
【００７３】
Ｓ５０３において、計算テーブル４００にＳ５０１で取得したカウンタＩＤが存在するか判定する。存在すると判定した場合、Ｓ５０４に進む。そうでない場合、Ｓ５０８に進み、ＣＰＵ１０２は不正なカウンタＩＤに対する取得要求と判断し、ＣＮＴ＝０を返却する。
【００７４】
Ｓ５０４において、ＣＰＵ１０２は該当の枚数カウンタのカウント値ｃを取得する。具体的には、ＥＥＰＲＯＭ１１０の不揮発メモリに保持されたフルカラー／ラージ４０３、フルカラー／スモール４０４、白黒／ラージ４０５、白黒／スモール４０６、単色カラー／ラージ４０７、単色カラー／スモール４０８のような枚数カウンタの値を指す。
【００７５】
Ｓ５０５において、ＣＰＵ１０２は該当の枚数カウンタに対応した係数ａを計算テーブル４００から取得する。例えば、カウンタＩＤが１０１に対するフルカラーラージ４０３の係数は１が取得できる。
【００７６】
Ｓ５０６において、ＣＰＵ１０２はＣＮＴに対してｃ×ａの値を加算する。
【００７７】
Ｓ５０７において、ＣＰＵ１０２はすべての枚数カウンタの計算が終了したか否かを判定する。終了したと判定した場合、Ｓ５０８に進む。そうでない場合、Ｓ５０４に戻る。
【００７８】
Ｓ５０９において、ＣＰＵ１０２は合算したＣＮＴを表示カウンタの値として返却する。
【００７９】
図６はカウンタ設定画面の一例を示す図である。図６のカウンタ設定画面６００は、サービスマンがＭＦＰ１０１をサービスモードに変更した場合に表示される画面である。なお、このカウンタ設定画面６００はサービスマンでなくとも、ＭＦＰ１０１のシステム管理者や管理者権限をもつユーザがログインした時に表示される画面であってもよい。
【００８０】
カウンタ設定画面６００には、２色カラーのコピーにおいて、有彩色を含むと判定された、つまり有彩色の画像と判定された画像を印刷する時に、フルカラーにカウントするボタン６０１と単色カラーにカウントするボタン６０２が表示されている。サービスマンがボタン６０１もしくは６０２を選択することで、どちらかの設定が実行される。
【００８１】
２色カラーは、フルカラーに比べて使用する色数が少なく、単色カラーに比べて黒色が多い。そのため、運用によってフルカラー相当とするか、単色カラー相当とするかを選択できるようにすることで、ユーザによって柔軟な設定が可能になる。
【００８２】
図７は、カウントアップ処理の一例を示すフローチャートである。ＣＰＵ１０２がＲＯＭ１０３に記憶されたプログラムをＲＡＭ１０４に読み出し、実行することで図７のフローチャートの処理は実現される。また、図７のフローチャートは、Ｓ３１６で印刷が実行されたことにより開始される。
【００８３】
Ｓ７０１において、ＣＰＵ１０２はコピー設定画面２１０もしくは特殊赤色コピー設定画面２２０のカラー選択で自動（カラー／白黒）もしくは自動（特殊赤色）が選択されているか否かを判定する。自動（カラー／白黒）もしくは自動（特殊赤色）であると判定した場合、Ｓ７０２に進む。そうでない場合は、Ｓ７０７に進む。
【００８４】
Ｓ７０２において、ＣＰＵ１０２はＳ３０６で行った色判定処理の結果を取得する。
【００８５】
Ｓ７０３において、ＣＰＵ１０２は取得した判定結果が有彩色の画像であることを示すか否かを判定する。有彩色の画像であることを示すと判定した場合、Ｓ７０４に進む。そうでない場合、Ｓ７０８に進む。
【００８６】
Ｓ７０４において、ＣＰＵ１０２はコピー設定画面２１０もしくは特殊赤色コピー設定画面２２０のカラー選択で自動（特殊赤色）が選択されたか否かを判定する。自動（特殊赤色）であると判定した場合、Ｓ７０５に進む。
【００８７】
Ｓ７０５において、ＣＰＵ１０２はカウンタ設定画面６００で設定された設定がフルカラーにカウントするように設定されているか否かを判定する。フルカラーにカウントするように設定されていると判定した場合、Ｓ７０６に進む。そうでない場合、Ｓ７１０に進む。
【００８８】
Ｓ７０６において、ＣＰＵ１０２はカウントアップをフルカラーの枚数カウンタを用いて行うことを決定する。
【００８９】
Ｓ７０７において、ＣＰＵ１０２はコピー設定画面２１０もしくは特殊赤色コピー設定画面２２０のカラー選択で白黒が選択されているか否かを判定する。白黒が選択されていると判定した場合、Ｓ７０８に進む。そうでない場合、Ｓ７０９に進む。
【００９０】
Ｓ７０８において、ＣＰＵ１０２はカウントアップを白黒の枚数カウンタを用いて行うことを決定する。
【００９１】
Ｓ７０９において、ＣＰＵ１０２はコピー設定画面２１０もしくは特殊赤色コピー設定画面２２０のカラー選択で単色カラーが選択されているか否かを判定する。単色カラーが選択されていると判定した場合、Ｓ７１０に進む。そうでない場合、Ｓ７１１に進む。
【００９２】
Ｓ７１０において、ＣＰＵ１０２はカウントアップを単色カラーの枚数カウンタを用いて行うことを決定する。
【００９３】
Ｓ７１１において、ＣＰＵ１０２はコピー設定画面２１０もしくは特殊赤色コピー設定画面２２０のカラー選択で２色カラーが選択されているか否かを判定する。２色カラーが選択されていると判定した場合、Ｓ７１２に進む。そうでない場合、つまりフルカラーが選択されている場合、Ｓ７０６に進む。
【００９４】
Ｓ７１２において、ＣＰＵ１０２はカウンタ設定画面６００で設定された設定がフルカラーにカウントするように設定されているか否かを判定する。フルカラーにカウントするように設定されていると判定した場合、Ｓ７０６に進む。そうでない場合、Ｓ７１０に進む。
【００９５】
Ｓ７１３において、ＣＰＵ１０２は印刷物の副走査方向の長さが３６４ｍｍ以上であるか否かを判定する。副走査方向の長さが３６４ｍｍ以上であると判定した場合、Ｓ７１４に進む。そうでない場合、Ｓ７１５に進む。
【００９６】
Ｓ７１４において、ＣＰＵ１０２はカウントアップをラージの枚数カウンタに決定する。Ｓ７１５において、ＣＰＵ１０２はカウントアップをスモールの枚数カウンタに決定する。
【００９７】
Ｓ７１６において、ＣＰＵ１０２はカウントアップ処理を実行する。具体的には、決定された枚数カウンタの情報を用いて図５のフローを実行する。
【００９８】
以上の処理を実行することにより、２色カラーの印刷を実行する際に、有彩色の画像か無彩色の画像かによって課金カウンタを切り替えることができ、２色カラーでの印刷時に適切な課金カウントを実行することができる。
【００９９】
なお、本実施例では２色コピー時の処理について説明したが、これに限るものではない。例えば、外部装置であるＰＣから印刷ジョブを受信し、印刷を実行する２色プリント機能においても上記の処理を実行してもよい。その際は、ネットワークＩ／Ｆ１０９に接続された不図示のＬＡＮ（Ｌｏｃａｌ  Ａｒｅａ  Ｎｅｔｗｏｒｋ）を介して、不図示のＰＣから印刷ジョブを受信する。その際、ユーザはＰＣを操作して、印刷ジョブを２色で実行するように指定することができる。
【実施例２】
【０１００】
実施例１では、２色カラーの課金カウントをフルカラーもしくは単色カラーの枚数カウンタにカウントアップする方法について説明した。本実施例では２色カラー専用の枚数カウンタでカウントアップする例を実施例１との差分を主に説明する。
【０１０１】
図８は、カウンタの計算テーブル８００の一例を示す図である。カウンタＩＤ８０１、表示カウンタ４０２、枚数カウンタ８０３〜８０８については、カウンタＩＤ４０１、表示カウンタ４０２、枚数カウンタ４０３〜４０８と同様である。
【０１０２】
計算テーブル８００は２色カラーラージ８０９、２色カラースモール８１０が増えている。また、カウンタＩＤの「１０９」、「１１０」も２色カラー専用として増えている。表示カウンタの計算方法に関しては、実施例１と同様である。
【０１０３】
図９は、カウントアップ処理の一例を示すフローチャートである。ＣＰＵ１０２がＲＯＭ１０３に記憶されたプログラムをＲＡＭ１０４に読み出し、実行することで図９のフローチャートの処理は実現される。また、図９のフローチャートは、Ｓ３１６で印刷が実行されたことにより開始される。
【０１０４】
実施例１では、Ｓ７０５、Ｓ７１２でカウンタ設定画面６００の設定に応じてフルカラーまたは単色カラーに切り替える例を説明した。本実施例では２色カラー専用の枚数カウンタが設けられているため、Ｓ９０４においてＣＰＵ１０２が、カラー選択が自動（特殊赤色）であると判定した場合、Ｓ９１１でＣＰＵ１０２カウントアップ先を２色カラーの枚数カウンタに決定する。
【０１０５】
またＳ９１０でＣＰＵ１０２が、カラー選択が２色カラーあると判定した場合においても、Ｓ９１１でＣＰＵ１０２がカウントアップ先を２色カラーの枚数カウンタに決定する。それ以外の処理に関しては、図７の処理と同様である。
【０１０６】
以上の処理を実行することにより、フルカラーよりトナーの使用量が少ない２色カラーで印刷した場合に、有彩色の画像の課金カウントをフルカラーとは異なるカウントで実行することができ、２色カラーでの印刷時に適切な課金カウントを実行することができる。なお、本実施例では２色コピー時の処理について説明したが、これに限るものではない。例えば、ＰＣから印刷ジョブを受信し、印刷を実行する２色プリント機能においても上記の処理を実行してもよい。その際は、ネットワークＩ／Ｆ１０９に接続された不図示のＬＡＮ（Ｌｏｃａｌ  Ａｒｅａ  Ｎｅｔｗｏｒｋ）を介して、不図示のＰＣから印刷ジョブを受信する。その際、ユーザはＰＣを操作して、印刷ジョブを２色で実行するように指定することができる。
【０１０７】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０８】
１０１  ＭＦＰ
１０２  ＣＰＵ
１０６  操作部
１０７  プリンタ
１０８  スキャナ
【図１】
2020166195.tif 000003
【図２】
2020166195.tif 000004
【図３】
2020166195.tif 000005
【図４】
2020166195.tif 000006
【図５】
2020166195.tif 000007
【図６】
2020166195.tif 000008
【図７】
2020166195.tif 000009
【図８】
2020166195.tif 000010
【図９】
2020166195.tif 000011